(57)【要約】【課題】任意のアプリケーションをソーシャル化する。【解決手段】端末１００が、特定のアプリケーションに対して、関連情報を入力し、アプリケーションのアプリケーションＩＤとアプリケーションのプログラム中に任意に付与するイベントＩＤとを保持する。そして、アプリケーションのアプリケーションＩＤと該アプリケーションのプログラム中に任意に付与するイベントＩＤと関連情報とを関連づけて管理し、端末２００が、アプリケーションのプログラム中に任意に付与するイベントＩＤと関連情報とを要求すると、一方の端末に対応する他方の端末の要求に応じて、アプリケーションのプログラム中に任意に付与するイベントＩＤと関連情報とを送信する。他方の端末は、アプリケーションのプログラム中に任意に付与するイベントＩＤと関連情報とを受信し、アプリケーションのプログラム中にイベントＩＤと関連情報とを挿入して、挿入された関連情報を表示する。【選択図】図１５
2013222371.tif 000002
【特許請求の範囲】
【請求項１】
１の端末と他の端末とからなるアプリケーションのソーシャル化システムであって、
前記１の端末あるいは他の端末の一方の端末が、
特定のアプリケーションに対して、関連情報を入力する入力手段と、
該アプリケーションのアプリケーションＩＤと該アプリケーションのプログラム中に任意に付与するイベントＩＤとを保持する保持手段と、
前記アプリケーションのアプリケーションＩＤと該アプリケーションのプログラム中に任意に付与するイベントＩＤと関連情報とを関連づけて管理する管理手段と、
前記一方の端末に対応する他方の端末の要求に応じて、前記アプリケーションのプログラム中に任意に付与するイベントＩＤと関連情報とを送信する送信手段と、
を備え、
前記一方の端末に対応する他方の端末が、
前記アプリケーションのプログラム中に任意に付与するイベントＩＤと関連情報とを要求する送信要求手段と、
前記アプリケーションのプログラム中に任意に付与するイベントＩＤと関連情報とを受信し、前記アプリケーションのプログラム中にイベントＩＤと関連情報とを挿入するアプリケーションプログラム変更手段と、
該挿入された関連情報を表示する表示手段と、
を備えたことを特徴とするアプリケーションのソーシャル化システム。
【請求項２】
１の端末と他の端末と管理サーバとからなるアプリケーションのソーシャルシステムであって、
前記１の端末あるいは他の端末の一方の端末が、
特定のアプリケーションに対して、関連情報を入力する入力手段と、
該アプリケーションのアプリケーションＩＤと該アプリケーションのプログラム中に任意に付与するイベントＩＤとを保持する保持手段と、
前記管理サーバに、前記アプリケーションのアプリケーションＩＤと該アプリケーションのプログラム中に任意に付与するイベントＩＤと関連情報とを送信する第１の送信手段と、
前記管理サーバが、
受信した前記アプリケーションのアプリケーションＩＤと該アプリケーションのプログラム中に任意に付与するイベントＩＤと関連情報とを関連づけて管理する管理手段と、
前記一方の端末に対応する他方の端末の要求に応じて、前記アプリケーションのプログラム中に任意に付与するイベントＩＤと関連情報とを送信する第２の送信手段と、
前記一方の端末に対応する他方の端末が、
前記アプリケーションのプログラム中に任意に付与するイベントＩＤと関連情報とを要求する送信要求手段と、
前記アプリケーションのプログラム中に任意に付与するイベントＩＤと関連情報とを受信し、前記アプリケーションのプログラム中にイベントＩＤと関連情報とを挿入するアプリケーションプログラム変更手段と、
該挿入された関連情報を表示する表示手段と、
を備えたことを特徴とするアプリケーションのソーシャル化システム。
【請求項３】
前記関連情報が、コメント情報であることを特徴とする請求項１または請求項２に記載のアプリケーションのソーシャル化システム。
【請求項４】
前記関連情報が、静止画像、動画像、音楽を含むマルチメディアコンテンツであることを特徴とする請求項１または請求項２に記載のアプリケーションのソーシャル化システム。
【請求項５】
前記関連情報が、コメント情報と静止画像、動画像、音楽を含むマルチメディアコンテンツとの組み合わせであることを特徴とする請求項１または請求項２に記載のアプリケーションのソーシャル化システム。
【請求項６】
１の端末と他の端末とからなるアプリケーションのソーシャル化システムにおけるアプリケーションのソーシャル化方法であって、
前記１の端末あるいは他の端末の一方の端末が、特定のアプリケーションに対して、関連情報を入力する第１のステップと、
前記１の端末あるいは他の端末の一方の端末が、該アプリケーションのアプリケーションＩＤと該アプリケーションのプログラム中に任意に付与するイベントＩＤとを保持する第２のステップと、
前記１の端末あるいは他の端末の一方の端末が、前記アプリケーションのアプリケーションＩＤと該アプリケーションのプログラム中に任意に付与するイベントＩＤと関連情報とを関連づけて管理する第３のステップと、
前記一方の端末に対応する他方の端末が、前記アプリケーションのプログラム中に任意に付与するイベントＩＤと関連情報とを要求する第４のステップと、
前記１の端末あるいは他の端末の一方の端末が、前記一方の端末に対応する他方の端末の要求に応じて、前記アプリケーションのプログラム中に任意に付与するイベントＩＤと関連情報とを送信する第５のステップと、
前記一方の端末に対応する他方の端末が、前記アプリケーションのプログラム中に任意に付与するイベントＩＤと関連情報とを受信し、前記アプリケーションのプログラム中にイベントＩＤと関連情報とを挿入する第６のステップと、
前記一方の端末に対応する他方の端末が、該挿入された関連情報を表示する第７のステップと、
を備えたことを特徴とするアプリケーションのソーシャル化方法。
【請求項７】
１の端末と他の端末と管理サーバとからなるアプリケーションのソーシャル化システムにおけるアプリケーションのソーシャル化方法であって、
前記１の端末あるいは他の端末の一方の端末が、特定のアプリケーションに対して、関連情報を入力する第１のステップと、
前記１の端末あるいは他の端末の一方の端末が、該アプリケーションのアプリケーションＩＤと該アプリケーションのプログラム中に任意に付与するイベントＩＤとを保持する第２のステップと、
前記１の端末あるいは他の端末の一方の端末が、前記管理サーバに、前記アプリケーションのアプリケーションＩＤと該アプリケーションのプログラム中に任意に付与するイベントＩＤと関連情報とを送信する第３のステップと、
前記管理サーバが、受信した前記アプリケーションのアプリケーションＩＤと該アプリケーションのプログラム中に任意に付与するイベントＩＤと関連情報とを関連づけて管理する第４のステップと、
前記一方の端末に対応する他方の端末が、前記アプリケーションのプログラム中に任意に付与するイベントＩＤと関連情報とを要求する第５のステップと、
前記管理サーバが、前記一方の端末に対応する他方の端末の要求に応じて、前記アプリケーションのプログラム中に任意に付与するイベントＩＤと関連情報とを送信する第６のステップと、
前記一方の端末に対応する他方の端末が、前記アプリケーションのプログラム中に任意に付与するイベントＩＤと関連情報とを受信し、前記アプリケーションのプログラム中にイベントＩＤと関連情報とを挿入する第７のステップと、
前記一方の端末に対応する他方の端末が、該挿入された関連情報を表示する第８のステップと、
を備えたことを特徴とするアプリケーションのソーシャル化方法。
【請求項８】
前記関連情報が、コメント情報であることを特徴とする請求項６または請求項７に記載のアプリケーションのソーシャル化方法。
【請求項９】
前記関連情報が、静止画像、動画像、音楽を含むマルチメディアコンテンツであることを特徴とする請求項６または請求項７に記載のアプリケーションのソーシャル化方法。
【請求項１０】
前記関連情報が、コメント情報と静止画像、動画像、音楽を含むマルチメディアコンテンツとの組み合わせであることを特徴とする請求項６または請求項７に記載のアプリケーションのソーシャル化方法。
【請求項１１】
１の端末と他の端末とからなるアプリケーションのソーシャル化システムにおけるアプリケーションのソーシャル化方法をコンピュータに実行させるためのプログラムであって、
前記１の端末あるいは他の端末の一方の端末が、特定のアプリケーションに対して、関連情報を入力する第１のステップと、
前記１の端末あるいは他の端末の一方の端末が、該アプリケーションのアプリケーションＩＤと該アプリケーションのプログラム中に任意に付与するイベントＩＤとを保持する第２のステップと、
前記１の端末あるいは他の端末の一方の端末が、前記アプリケーションのアプリケーションＩＤと該アプリケーションのプログラム中に任意に付与するイベントＩＤと関連情報とを関連づけて管理する第３のステップと、
前記一方の端末に対応する他方の端末が、前記アプリケーションのプログラム中に任意に付与するイベントＩＤと関連情報とを要求する第４のステップと、
前記１の端末あるいは他の端末の一方の端末が、前記一方の端末に対応する他方の端末の要求に応じて、前記アプリケーションのプログラム中に任意に付与するイベントＩＤと関連情報とを送信する第５のステップと、
前記一方の端末に対応する他方の端末が、前記アプリケーションのプログラム中に任意に付与するイベントＩＤと関連情報とを受信し、前記アプリケーションのプログラム中にイベントＩＤと関連情報とを挿入する第６のステップと、
前記一方の端末に対応する他方の端末が、該挿入された関連情報を表示する第７のステップと、
をコンピュータに実行させるためのプログラム。
【請求項１２】
１の端末と他の端末と管理サーバとからなるアプリケーションのソーシャル化システムにおけるアプリケーションのソーシャル化方法をコンピュータに実行させるためのプログラムであって、
前記１の端末あるいは他の端末の一方の端末が、特定のアプリケーションに対して、関連情報を入力する第１のステップと、
前記１の端末あるいは他の端末の一方の端末が、該アプリケーションのアプリケーションＩＤと該アプリケーションのプログラム中に任意に付与するイベントＩＤとを保持する第２のステップと、
前記１の端末あるいは他の端末の一方の端末が、前記管理サーバに、前記アプリケーションのアプリケーションＩＤと該アプリケーションのプログラム中に任意に付与するイベントＩＤと関連情報とを送信する第３のステップと、
前記管理サーバが、受信した前記アプリケーションのアプリケーションＩＤと該アプリケーションのプログラム中に任意に付与するイベントＩＤと関連情報とを関連づけて管理する第４のステップと、
前記一方の端末に対応する他方の端末が、前記アプリケーションのプログラム中に任意に付与するイベントＩＤと関連情報とを要求する第５のステップと、
前記管理サーバが、前記一方の端末に対応する他方の端末の要求に応じて、前記アプリケーションのプログラム中に任意に付与するイベントＩＤと関連情報とを送信する第６のステップと、
前記一方の端末に対応する他方の端末が、前記アプリケーションのプログラム中に任意に付与するイベントＩＤと関連情報とを受信し、前記アプリケーションのプログラム中にイベントＩＤと関連情報とを挿入する第７のステップと、
前記一方の端末に対応する他方の端末が、該挿入された関連情報を表示する第８のステップと、
をコンピュータに実行させるためのプログラム。
【請求項１３】
前記関連情報が、コメント情報であることを特徴とする請求項１１または請求項１２に記載のプログラム。
【請求項１４】
前記関連情報が、静止画像、動画像、音楽を含むマルチメディアコンテンツであることを特徴とする請求項１１または請求項１２に記載のプログラム。
【請求項１５】
前記関連情報が、コメント情報と静止画像、動画像、音楽を含むマルチメディアコンテンツとの組み合わせであることを特徴とする請求項１１または請求項１２に記載のプログラム。
【発明の詳細な説明】
【技術分野】
【０００１】
本発明は、ユーザ間で、任意のアプリケーションをソーシャル化するアプリケーションのソーシャル化システム、アプリケーションのソーシャル化方法およびプログラムに関する。
【背景技術】
【０００２】
近年、スマートフォンの急速な普及に伴って、多くのアプリケーションが開発され、リリースされている。その中でも、人と人とのつながりを促進・サポートする、コミュニティ型のＷｅｂサイトであるＳＮＳに人気が集まっている。このＳＮＳは、友人・知人間のコミュニケーションを円滑にする手段や場を提供したり、趣味や嗜好、居住地域、出身校、あるいは「友人の友人」といったつながりを通じて新たな人間関係を構築する場を提供する、会員制のサービスであり、人のつながりを重視して「既存の参加者からの招待がないと参加できない」というシステムになっているサービスが多く、最近では誰も自由に登録できるサービスも増えている。
【０００３】
なお、上記の技術に類似するものとして、例えば、動画再生時間にコメントを共有する技術が知られている（例えば、特許文献１参照。）。
【先行技術文献】
【特許文献】
【０００４】
【特許文献１】特開２００９−０７７４４３号公報
【発明の概要】
【発明が解決しようとする課題】
【０００５】
しかしながら、ほとんどのアプリケーションは、ダウンロード後、ひとりで活用するものが多いのが、現状である。一方で、上記のＳＮＳのように、アプリケーション上で、ユーザ同士が自由にコミュニケーションを図るアプリケーションを望む声も多い。
【０００６】
そこで、本発明は、上述の課題に鑑みてなされたものであり、任意のアプリケーションをソーシャル化するアプリケーションのソーシャル化システム、アプリケーションのソーシャル化方法およびプログラムを提供することを目的とする。
【課題を解決するための手段】
【０００７】
本発明は、上記の課題を解決するために、以下の事項を提案している。なお、理解を容易にするために、本発明の実施形態に対応する符号を付して説明するが、これに限定されるものではない。
【０００８】
（１）本発明は、１の端末と他の端末とからなるアプリケーションのソーシャル化システムであって、前記１の端末あるいは他の端末の一方の端末が、特定のアプリケーションに対して、関連情報を入力する入力手段（例えば、図２の入力部１１０に相当）と、該アプリケーションのアプリケーションＩＤと該アプリケーションのプログラム中に任意に付与するイベントＩＤとを保持する保持手段（例えば、図２の保持部１２０に相当）と、前記アプリケーションのアプリケーションＩＤと該アプリケーションのプログラム中に任意に付与するイベントＩＤと関連情報とを関連づけて管理する管理手段（例えば、図２の管理部１３０に相当）と、前記一方の端末に対応する他方の端末の要求に応じて、前記アプリケーションのプログラム中に任意に付与するイベントＩＤと関連情報とを送信する送信手段（例えば、図２の送受信部１７０に相当）と、を備え、前記一方の端末に対応する他方の端末が、前記アプリケーションのプログラム中に任意に付与するイベントＩＤと関連情報とを要求する送信要求手段（例えば、図２の送信要求部１４０に相当）と、前記アプリケーションのプログラム中に任意に付与するイベントＩＤと関連情報とを受信し、前記アプリケーションのプログラム中にイベントＩＤと関連情報とを挿入するアプリケーションプログラム変更手段（例えば、図２のプログラム変更部１５０に相当）と、該挿入された関連情報を表示する表示手段（例えば、図２の表示部１６０に相当）と、を備えたことを特徴とするアプリケーションのソーシャル化システムを提案している。
【０００９】
この発明によれば、１の端末あるいは他の端末の一方の端末の入力手段は、特定のアプリケーションに対して、関連情報を入力する。保持手段は、アプリケーションのアプリケーションＩＤと該アプリケーションのプログラム中に任意に付与するイベントＩＤとを保持する。管理手段は、アプリケーションのアプリケーションＩＤとアプリケーションのプログラム中に任意に付与するイベントＩＤと関連情報とを関連づけて管理する。送信手段は、一方の端末に対応する他方の端末の要求に応じて、アプリケーションのプログラム中に任意に付与するイベントＩＤと関連情報とを送信する。一方の端末に対応する他方の端末の送信要求手段は、アプリケーションのプログラム中に任意に付与するイベントＩＤと関連情報とを要求する。アプリケーションプログラム変更手段は、アプリケーションのプログラム中にイベントＩＤと関連情報とを挿入する。表示手段は、挿入された関連情報を表示する。したがって、１の端末あるいは他の端末の一方の端末が関連情報を入力し、一方の端末に対応する他方の端末がイベントに応じて、関連情報を含む情報の送信を要求し、プログラムに挿入することにより、表示する。これによって、ユーザ同士が自由にコミュニケーションを図ることができるアプリケーションを構築することができる。
【００１０】
（２）本発明は、１の端末と他の端末と管理サーバとからなるアプリケーションのソーシャルシステムであって、前記１の端末あるいは他の端末の一方の端末が、特定のアプリケーションに対して、関連情報を入力する入力手段と、該アプリケーションのアプリケーションＩＤと該アプリケーションのプログラム中に任意に付与するイベントＩＤとを保持する保持手段と、前記管理サーバに、前記アプリケーションのアプリケーションＩＤと該アプリケーションのプログラム中に任意に付与するイベントＩＤと関連情報とを送信する第１の送信手段と、前記管理サーバが、受信した前記アプリケーションのアプリケーションＩＤと該アプリケーションのプログラム中に任意に付与するイベントＩＤと関連情報とを関連づけて管理する管理手段（例えば、図１８の管理部４１０に相当）と、前記一方の端末に対応する他方の端末の要求に応じて、前記アプリケーションのプログラム中に任意に付与するイベントＩＤと関連情報とを送信する第２の送信手段（例えば、図１８の送信部４２０に相当）と、前記一方の端末に対応する他方の端末が、前記アプリケーションのプログラム中に任意に付与するイベントＩＤと関連情報とを要求する送信要求手段と、前記アプリケーションのプログラム中に任意に付与するイベントＩＤと関連情報とを受信し、前記アプリケーションのプログラム中にイベントＩＤと関連情報とを挿入するアプリケーションプログラム変更手段と、該挿入された関連情報を表示する表示手段と、を備えたことを特徴とするアプリケーションのソーシャル化システムを提案している。
【００１１】
この発明によれば、１の端末あるいは他の端末の一方の端末の入力手段は、特定のアプリケーションに対して、関連情報を入力する。保持手段は、アプリケーションのアプリケーションＩＤとアプリケーションのプログラム中に任意に付与するイベントＩＤとを保持する。第１の送信手段は、管理サーバに、アプリケーションのアプリケーションＩＤとアプリケーションのプログラム中に任意に付与するイベントＩＤと関連情報とを送信する。管理サーバの管理手段は、受信したアプリケーションのアプリケーションＩＤとアプリケーションのプログラム中に任意に付与するイベントＩＤと関連情報とを関連づけて管理する。第２の送信手段は、一方の端末に対応する他方の端末の要求に応じて、アプリケーションのプログラム中に任意に付与するイベントＩＤと関連情報とを送信する。一方の端末に対応する他方の端末の送信要求手段は、アプリケーションのプログラム中に任意に付与するイベントＩＤと関連情報とを要求する。アプリケーションプログラム変更手段は、アプリケーションのプログラム中に任意に付与するイベントＩＤと関連情報とを受信し、アプリケーションのプログラム中にイベントＩＤと関連情報とを挿入する。表示手段は、挿入された関連情報を表示する。したがって、１の端末あるいは他の端末の一方の端末が関連情報を入力し、関連情報を含む情報を管理サーバが管理し、一方の端末に対応する他方の端末がイベントに応じて、関連情報を含む情報の送信を管理サーバに要求し、プログラムに挿入することにより、表示する。これによって、ユーザ同士が自由にコミュニケーションを図ることができるアプリケーションを構築することができる。
【００１２】
（３）本発明は、（１）または（２）のアプリケーションのソーシャル化システムについて、前記関連情報が、コメント情報であることを特徴とするアプリケーションのソーシャル化システムを提案している。
【００１３】
この発明によれば、関連情報が、コメント情報である。したがって、アプリケーションの内容等に関する感想等をテキストで共有することにより、ユーザ同士が自由にコミュニケーションを図ることができる。
【００１４】
（４）本発明は、（１）または（２）のアプリケーションのソーシャル化システムについて、前記関連情報が、静止画像、動画像、音楽を含むマルチメディアコンテンツであることを特徴とするアプリケーションのソーシャル化システムを提案している。
【００１５】
この発明によれば、関連情報が、静止画像、動画像、音楽を含むマルチメディアコンテンツである。したがって、アプリケーションを楽しんでいる様子等を静止画像、動画像、音楽を含むマルチメディアコンテンツで共有することにより、ユーザ同士が自由にコミュニケーションを図ることができる。
【００１６】
（５）本発明は、（１）または（２）のアプリケーションのソーシャル化システムについて、前記関連情報が、コメント情報と静止画像、動画像、音楽を含むマルチメディアコンテンツとの組み合わせであることを特徴とするアプリケーションのソーシャル化システムを提案している。
【００１７】
この発明によれば、関連情報が、コメント情報と静止画像、動画像、音楽を含むマルチメディアコンテンツとの組み合わせである。したがって、アプリケーションについての感想やアプリケーションを楽しんでいる様子等をテキストデータと静止画像、動画像、音楽を含むマルチメディアコンテンツとで共有することにより、ユーザ同士が自由にコミュニケーションを図ることができる。
【００１８】
（６）本発明は、１の端末と他の端末とからなるアプリケーションのソーシャル化システムにおけるアプリケーションのソーシャル化方法であって、前記１の端末あるいは他の端末の一方の端末が、特定のアプリケーションに対して、関連情報を入力する第１のステップ（例えば、図１５のステップＳ１０１に相当）と、前記１の端末あるいは他の端末の一方の端末が、該アプリケーションのアプリケーションＩＤと該アプリケーションのプログラム中に任意に付与するイベントＩＤとを保持する第２のステップ（例えば、図１５のステップＳ１０２に相当）と、前記１の端末あるいは他の端末の一方の端末が、前記アプリケーションのアプリケーションＩＤと該アプリケーションのプログラム中に任意に付与するイベントＩＤと関連情報とを関連づけて管理する第３のステップ（例えば、図１５のステップＳ１０３に相当）と、前記一方の端末に対応する他方の端末が、前記アプリケーションのプログラム中に任意に付与するイベントＩＤと関連情報とを要求する第４のステップ（例えば、図１５のステップＳ１０４に相当）と、前記１の端末あるいは他の端末の一方の端末が、前記一方の端末に対応する他方の端末の要求に応じて、前記アプリケーションのプログラム中に任意に付与するイベントＩＤと関連情報とを送信する第５のステップ（例えば、図１５のステップＳ１０５に相当）と、前記一方の端末に対応する他方の端末が、前記アプリケーションのプログラム中に任意に付与するイベントＩＤと関連情報とを受信し、前記アプリケーションのプログラム中にイベントＩＤと関連情報とを挿入する第６のステップ（例えば、図１５のステップＳ１０６に相当）と、前記一方の端末に対応する他方の端末が、該挿入された関連情報を表示する第７のステップ（例えば、図１５のステップＳ１０７に相当）と、を備えたことを特徴とするアプリケーションのソーシャル化方法を提案している。
【００１９】
この発明によれば、１の端末あるいは他の端末の一方の端末が、特定のアプリケーションに対して、関連情報を入力し、アプリケーションのアプリケーションＩＤとアプリケーションのプログラム中に任意に付与するイベントＩＤとを保持する。そして、アプリケーションのアプリケーションＩＤと該アプリケーションのプログラム中に任意に付与するイベントＩＤと関連情報とを関連づけて管理し、一方の端末に対応する他方の端末が、アプリケーションのプログラム中に任意に付与するイベントＩＤと関連情報とを要求すると、一方の端末に対応する他方の端末の要求に応じて、アプリケーションのプログラム中に任意に付与するイベントＩＤと関連情報とを送信する。一方の端末に対応する他方の端末は、アプリケーションのプログラム中に任意に付与するイベントＩＤと関連情報とを受信し、アプリケーションのプログラム中にイベントＩＤと関連情報とを挿入して、挿入された関連情報を表示する。したがって、１の端末あるいは他の端末の一方の端末が関連情報を入力し、一方の端末に対応する他方の端末がイベントに応じて、関連情報を含む情報の送信を要求し、プログラムに挿入することにより、表示する。これによって、ユーザ同士が自由にコミュニケーションを図ることができるアプリケーションを構築することができる。
【００２０】
（７）本発明は、１の端末と他の端末と管理サーバとからなるアプリケーションのソーシャル化システムにおけるアプリケーションのソーシャル化方法であって、前記１の端末あるいは他の端末の一方の端末が、特定のアプリケーションに対して、関連情報を入力する第１のステップ（例えば、図１９のステップＳ２０１に相当）と、前記１の端末あるいは他の端末の一方の端末が、該アプリケーションのアプリケーションＩＤと該アプリケーションのプログラム中に任意に付与するイベントＩＤとを保持する第２のステップ（例えば、図１９のステップＳ２０２に相当）と、前記１の端末あるいは他の端末の一方の端末が、前記管理サーバに、前記アプリケーションのアプリケーションＩＤと該アプリケーションのプログラム中に任意に付与するイベントＩＤと関連情報とを送信する第３のステップ（例えば、図１９のステップＳ２０３に相当）と、前記管理サーバが、受信した前記アプリケーションのアプリケーションＩＤと該アプリケーションのプログラム中に任意に付与するイベントＩＤと関連情報とを関連づけて管理する第４のステップ（例えば、図１９のステップＳ２０４に相当）と、前記一方の端末に対応する他方の端末が、前記アプリケーションのプログラム中に任意に付与するイベントＩＤと関連情報とを要求する第５のステップ（例えば、図１９のステップＳ２０５に相当）と、前記管理サーバが、前記一方の端末に対応する他方の端末の要求に応じて、前記アプリケーションのプログラム中に任意に付与するイベントＩＤと関連情報とを送信する第６のステップ（例えば、図１９のステップＳ２０６に相当）と、前記一方の端末に対応する他方の端末が、前記アプリケーションのプログラム中に任意に付与するイベントＩＤと関連情報とを受信し、前記アプリケーションのプログラム中にイベントＩＤと関連情報とを挿入する第７のステップ（例えば、図１９のステップＳ２０７に相当）と、前記一方の端末に対応する他方の端末が、該挿入された関連情報を表示する第８のステップ（例えば、図１９のステップＳ２０８に相当）と、を備えたことを特徴とするアプリケーションのソーシャル化方法を提案している。
【００２１】
この発明によれば、１の端末あるいは他の端末の一方の端末は、特定のアプリケーションに対して、関連情報を入力し、アプリケーションのアプリケーションＩＤとアプリケーションのプログラム中に任意に付与するイベントＩＤとを保持して、管理サーバに、アプリケーションのアプリケーションＩＤとアプリケーションのプログラム中に任意に付与するイベントＩＤと関連情報とを送信する。管理サーバは、受信したアプリケーションのアプリケーションＩＤとアプリケーションのプログラム中に任意に付与するイベントＩＤと関連情報とを関連づけて管理し、一方の端末に対応する他方の端末が、アプリケーションのプログラム中に任意に付与するイベントＩＤと関連情報とを要求すると、アプリケーションのプログラム中に任意に付与するイベントＩＤと関連情報とを送信する。一方の端末に対応する他方の端末は、アプリケーションのプログラム中に任意に付与するイベントＩＤと関連情報とを受信し、アプリケーションのプログラム中にイベントＩＤと関連情報とを挿入して、挿入された関連情報を表示する。したがって、１の端末あるいは他の端末の一方の端末が関連情報を入力し、関連情報を含む情報を管理サーバが管理し、一方の端末に対応する他方の端末がイベントに応じて、関連情報を含む情報の送信を管理サーバに要求し、プログラムに挿入することにより、表示する。これによって、ユーザ同士が自由にコミュニケーションを図ることができるアプリケーションを構築することができる。
【００２２】
（８）本発明は、（６）または（７）のアプリケーションのソーシャル化方法について、前記関連情報が、コメント情報であることを特徴とするアプリケーションのソーシャル化方法を提案している。
【００２３】
この発明によれば、関連情報が、コメント情報である。したがって、アプリケーションの内容等に関する感想等をテキストで共有することにより、ユーザ同士が自由にコミュニケーションを図ることができる。
【００２４】
（９）本発明は、（６）または（７）のアプリケーションのソーシャル化方法について、前記関連情報が、静止画像、動画像、音楽を含むマルチメディアコンテンツであることを特徴とするアプリケーションのソーシャル化方法を提案している。
【００２５】
この発明によれば、関連情報が、静止画像、動画像、音楽を含むマルチメディアコンテンツである。したがって、アプリケーションを楽しんでいる様子等を静止画像、動画像、音楽を含むマルチメディアコンテンツで共有することにより、ユーザ同士が自由にコミュニケーションを図ることができる。
【００２６】
（１０）本発明は、（６）または（７）のアプリケーションのソーシャル化方法について、前記関連情報が、コメント情報と静止画像、動画像、音楽を含むマルチメディアコンテンツとの組み合わせであることを特徴とするアプリケーションのソーシャル化方法を提案している。
【００２７】
この発明によれば、関連情報が、コメント情報と静止画像、動画像、音楽を含むマルチメディアコンテンツとの組み合わせである。したがって、アプリケーションについての感想やアプリケーションを楽しんでいる様子等をテキストデータと静止画像、動画像、音楽を含むマルチメディアコンテンツとで共有することにより、ユーザ同士が自由にコミュニケーションを図ることができる。
【００２８】
（１１）本発明は、１の端末と他の端末とからなるアプリケーションのソーシャル化システムにおけるアプリケーションのソーシャル化方法をコンピュータに実行させるためのプログラムであって、前記１の端末あるいは他の端末の一方の端末が、特定のアプリケーションに対して、関連情報を入力する第１のステップ（例えば、図１５のステップＳ１０１に相当）と、前記１の端末あるいは他の端末の一方の端末が、該アプリケーションのアプリケーションＩＤと該アプリケーションのプログラム中に任意に付与するイベントＩＤとを保持する第２のステップ（例えば、図１５のステップＳ１０２に相当）と、前記１の端末あるいは他の端末の一方の端末が、前記アプリケーションのアプリケーションＩＤと該アプリケーションのプログラム中に任意に付与するイベントＩＤと関連情報とを関連づけて管理する第３のステップ（例えば、図１５のステップＳ１０３に相当）と、前記一方の端末に対応する他方の端末が、前記アプリケーションのプログラム中に任意に付与するイベントＩＤと関連情報とを要求する第４のステップ（例えば、図１５のステップＳ１０４に相当）と、前記１の端末あるいは他の端末の一方の端末が、前記一方の端末に対応する他方の端末の要求に応じて、前記アプリケーションのプログラム中に任意に付与するイベントＩＤと関連情報とを送信する第５のステップ（例えば、図１５のステップＳ１０５に相当）と、前記一方の端末に対応する他方の端末が、前記アプリケーションのプログラム中に任意に付与するイベントＩＤと関連情報とを受信し、前記アプリケーションのプログラム中にイベントＩＤと関連情報とを挿入する第６のステップ（例えば、図１５のステップＳ１０６に相当）と、前記一方の端末に対応する他方の端末が、該挿入された関連情報を表示する第７のステップ（例えば、図１５のステップＳ１０７に相当）と、をコンピュータに実行させるためのプログラムを提案している。
【００２９】
この発明によれば、１の端末あるいは他の端末の一方の端末が、特定のアプリケーションに対して、関連情報を入力し、アプリケーションのアプリケーションＩＤとアプリケーションのプログラム中に任意に付与するイベントＩＤとを保持する。そして、アプリケーションのアプリケーションＩＤと該アプリケーションのプログラム中に任意に付与するイベントＩＤと関連情報とを関連づけて管理し、一方の端末に対応する他方の端末が、アプリケーションのプログラム中に任意に付与するイベントＩＤと関連情報とを要求すると、一方の端末に対応する他方の端末の要求に応じて、アプリケーションのプログラム中に任意に付与するイベントＩＤと関連情報とを送信する。一方の端末に対応する他方の端末は、アプリケーションのプログラム中に任意に付与するイベントＩＤと関連情報とを受信し、アプリケーションのプログラム中にイベントＩＤと関連情報とを挿入して、挿入された関連情報を表示する。したがって、１の端末あるいは他の端末の一方の端末が関連情報を入力し、一方の端末に対応する他方の端末がイベントに応じて、関連情報を含む情報の送信を要求し、プログラムに挿入することにより、表示する。これによって、ユーザ同士が自由にコミュニケーションを図ることができるアプリケーションを構築することができる。
【００３０】
（１２）本発明は、１の端末と他の端末と管理サーバとからなるアプリケーションのソーシャル化システムにおけるアプリケーションのソーシャル化方法をコンピュータに実行させるためのプログラムであって、前記１の端末あるいは他の端末の一方の端末が、特定のアプリケーションに対して、関連情報を入力する第１のステップ（例えば、図１９のステップＳ２０１に相当）と、前記１の端末あるいは他の端末の一方の端末が、該アプリケーションのアプリケーションＩＤと該アプリケーションのプログラム中に任意に付与するイベントＩＤとを保持する第２のステップ（例えば、図１９のステップＳ２０２に相当）と、前記１の端末あるいは他の端末の一方の端末が、前記管理サーバに、前記アプリケーションのアプリケーションＩＤと該アプリケーションのプログラム中に任意に付与するイベントＩＤと関連情報とを送信する第３のステップ（例えば、図１９のステップＳ２０３に相当）と、前記管理サーバが、受信した前記アプリケーションのアプリケーションＩＤと該アプリケーションのプログラム中に任意に付与するイベントＩＤと関連情報とを関連づけて管理する第４のステップ（例えば、図１９のステップＳ２０４に相当）と、前記一方の端末に対応する他方の端末が、前記アプリケーションのプログラム中に任意に付与するイベントＩＤと関連情報とを要求する第５のステップ（例えば、図１９のステップＳ２０５に相当）と、前記管理サーバが、前記一方の端末に対応する他方の端末の要求に応じて、前記アプリケーションのプログラム中に任意に付与するイベントＩＤと関連情報とを送信する第６のステップ（例えば、図１９のステップＳ２０６に相当）と、前記一方の端末に対応する他方の端末が、前記アプリケーションのプログラム中に任意に付与するイベントＩＤと関連情報とを受信し、前記アプリケーションのプログラム中にイベントＩＤと関連情報とを挿入する第７のステップ（例えば、図１９のステップＳ２０７に相当）と、前記一方の端末に対応する他方の端末が、該挿入された関連情報を表示する第８のステップ（例えば、図１９のステップＳ２０８に相当）と、をコンピュータに実行させるためのプログラムを提案している。
【００３１】
この発明によれば、１の端末あるいは他の端末の一方の端末は、特定のアプリケーションに対して、関連情報を入力し、アプリケーションのアプリケーションＩＤとアプリケーションのプログラム中に任意に付与するイベントＩＤとを保持して、管理サーバに、アプリケーションのアプリケーションＩＤとアプリケーションのプログラム中に任意に付与するイベントＩＤと関連情報とを送信する。管理サーバは、受信したアプリケーションのアプリケーションＩＤとアプリケーションのプログラム中に任意に付与するイベントＩＤと関連情報とを関連づけて管理し、一方の端末に対応する他方の端末が、アプリケーションのプログラム中に任意に付与するイベントＩＤと関連情報とを要求すると、アプリケーションのプログラム中に任意に付与するイベントＩＤと関連情報とを送信する。一方の端末に対応する他方の端末は、アプリケーションのプログラム中に任意に付与するイベントＩＤと関連情報とを受信し、アプリケーションのプログラム中にイベントＩＤと関連情報とを挿入して、挿入された関連情報を表示する。したがって、１の端末あるいは他の端末の一方の端末が関連情報を入力し、関連情報を含む情報を管理サーバが管理し、一方の端末に対応する他方の端末がイベントに応じて、関連情報を含む情報の送信を管理サーバに要求し、プログラムに挿入することにより、表示する。これによって、ユーザ同士が自由にコミュニケーションを図ることができるアプリケーションを構築することができる。
【００３２】
（１３）本発明は、（１１）または（１２）のプログラムについて、前記関連情報が、コメント情報であることを特徴とするプログラムを提案している。
【００３３】
この発明によれば、関連情報が、コメント情報である。したがって、アプリケーションの内容等に関する感想等をテキストで共有することにより、ユーザ同士が自由にコミュニケーションを図ることができる。
【００３４】
（１４）本発明は、（１１）または（１２）のプログラムについて、前記関連情報が、静止画像、動画像、音楽を含むマルチメディアコンテンツであることを特徴とするプログラムを提案している。
【００３５】
この発明によれば、関連情報が、静止画像、動画像、音楽を含むマルチメディアコンテンツである。したがって、アプリケーションを楽しんでいる様子等を静止画像、動画像、音楽を含むマルチメディアコンテンツで共有することにより、ユーザ同士が自由にコミュニケーションを図ることができる。
【００３６】
（１５）本発明は、（１１）または（１２）のプログラムについて、前記関連情報が、コメント情報と静止画像、動画像、音楽を含むマルチメディアコンテンツとの組み合わせであることを特徴とするプログラムを提案している。
【００３７】
この発明によれば、関連情報が、コメント情報と静止画像、動画像、音楽を含むマルチメディアコンテンツとの組み合わせである。したがって、アプリケーションについての感想やアプリケーションを楽しんでいる様子等をテキストデータと静止画像、動画像、音楽を含むマルチメディアコンテンツとで共有することにより、ユーザ同士が自由にコミュニケーションを図ることができる。
【発明の効果】
【００３８】
本発明によれば、任意のアプリケーションをソーシャル化し、ユーザ同士が自由にコミュニケーションを図ることができるという効果がある。
【図面の簡単な説明】
【００３９】
【図１】本発明の第１の実施形態に係るアプリケーションのソーシャル化システムの構成を示す図である。
【図２】本発明の第１の実施形態に係る端末の構成を示す図である。
【図３】本発明の第１の実施形態に係る第１の実施例におけるコメント情報の入力について例示した図である。
【図４】本発明の第１の実施形態に係る第１の実施例について投稿側端末におけるコメント情報を挿入したプログラムを例示した図である。
【図５】本発明の第１の実施形態に係る第１の実施例について表示側端末におけるプログラムを例示した図である。
【図６】本発明の第１の実施形態に係る第１の実施例におけるコメント情報の表示について例示した図である。
【図７】本発明の第１の実施形態に係る第２の実施例における画像情報の入力について例示した図である。
【図８】本発明の第１の実施形態に係る第２の実施例について投稿側端末における画像情報を挿入したプログラムを例示した図である。
【図９】本発明の第１の実施形態に係る第２の実施例について表示側端末におけるプログラムを例示した図である。
【図１０】本発明の第１の実施形態に係る第２の実施例における画像情報の表示について例示した図である。
【図１１】本発明の第１の実施形態に係る第３の実施例におけるコメント情報と画像情報との入力について例示した図である。
【図１２】本発明の第１の実施形態に係る第３の実施例について投稿側端末におけるコメント情報と画像情報とを挿入したプログラムを例示した図である。
【図１３】本発明の第１の実施形態に係る第３の実施例について表示側端末におけるプログラムを例示した図である。
【図１４】本発明の第１の実施形態に係る第３の実施例におけるコメント情報と画像情報の表示について例示した図である。
【図１５】本発明の第１の実施形態に係るアプリケーションのソーシャル化システムの処理を示す図である。
【図１６】本発明の第２の実施形態に係るアプリケーションのソーシャル化システムの構成を示す図である。
【図１７】本発明の第２の実施形態に係る端末の構成を示す図である。
【図１８】本発明の第２の実施形態に係る管理サーバの構成を示す図である。
【図１９】本発明の第２の実施形態に係るアプリケーションのソーシャル化システムの処理を示す図である。
【発明を実施するための形態】
【００４０】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００４１】
＜第１の実施形態＞
図１から図１５を用いて、本実施形態に係るアプリケーションのソーシャル化システムについて説明する。
【００４２】
＜アプリケーションのソーシャル化システムの構成＞
本実施形態に係るアプリケーションのソーシャル化システムは、図１に示すように、１のユーザが所有する端末１００と、他のユーザが所有する端末２００とから構成され、これらは、ネットワーク３００を介して、接続されている。
【００４３】
＜端末の構成＞
本実施形態に係る端末は、図２に示すように、入力部１１０と、保持部１２０と、管理部１３０と、送信要求部１４０と、プログラム変更部１５０と、表示部１６０と、送受信部１７０とから構成されている。なお、端末１００と端末２００とは、同様の機能を有するため、ここでは、端末１００の構成のみについて説明する。
【００４４】
入力部１１０は、特定のアプリケーションに対して、関連情報を入力する入力手段である。保持部１２０は、アプリケーションのアプリケーションＩＤとアプリケーションのプログラム中に任意に付与するイベントＩＤとを保持する。管理部１３０は、アプリケーションのアプリケーションＩＤとアプリケーションのプログラム中に任意に付与するイベントＩＤと関連情報とを関連づけて管理する。送受信部１７０は、端末２００の要求に応じて、アプリケーションのプログラム中に任意に付与するイベントＩＤと関連情報とを送信する。以上が、端末１００が関連情報の発信元である場合に、作用する機能である。
【００４５】
送信要求部１４０は、アプリケーションのプログラム中に任意に付与するイベントＩＤと関連情報とを要求する。プログラム変更部１５０は、アプリケーションのプログラム中に任意に付与するイベントＩＤと関連情報とを受信し、アプリケーションのプログラム中にイベントＩＤと関連情報とを挿入する。表示部１６０は、挿入された関連情報を表示する。以上が、端末２００が関連情報の受信元である場合に、作用する機能である。なお、ここでは、説明の便宜上、端末１００を関連情報の発信元、端末２００を関連情報の受信元としたが、当然、端末２００を関連情報の発信元、端末１００を関連情報の受信元となる場合もある。また、端末１００および端末２００は、それぞれ複数存在していてもよい。
【００４６】
＜第１の実施例＞
図３から図６を用いて、本実施形態に係る第１の実施例について説明する。なお、本実施例は、関連情報としてコメント情報を発信しあって、ユーザ間でのコミュニケーションを図るものである。
【００４７】
図３は、コメント情報の発信元である端末１００において、コメント情報を入力する様子を例示したものである。例えば、図３に示すように、ユーザが、例えば、あるイベントをトリガにコメント情報を入力する場合には、所定のボタンをタッチすることにより、コメント入力エリアと、図示しないテンキーがアプリケーション画面に重なるように表示される。ユーザは、テンキーを操作して、アプリケーションの感想等をコメントとして入力し、図示しない送信ボタンをタッチすることにより、コメント情報をアップする。
【００４８】
このとき、図４に示すように、プログラム内の太字部分に、アプリケーションＩＤ（ａｐｐＩＤ）、イベントＩＤ（ｅｖｅｎｔＩＤ）、コメント情報が挿入される。そして、ボタンが押されると、記述されたコメント情報が投稿される。
【００４９】
一方で、コメント情報の受信元である端末２００は、例えば、イベントをトリガに、コメント情報の発信元である端末１００に対して、アプリケーションＩＤ（ａｐｐＩＤ）、イベントＩＤ（ｅｖｅｎｔＩＤ）、コメント情報の送信を要求する。そして、図５に示すように、受信した情報に基づいて、プログラムを一部変更して、図６に示すように、コメント情報と投稿者情報とをアプリケーション画面上に表示する。
【００５０】
＜第２の実施例＞
図７から図１０を用いて、本実施形態に係る第２の実施例について説明する。なお、本実施例は、関連情報として静止画像、動画像、音楽を含むマルチメディアコンテンツを発信しあって、ユーザ間でのコミュニケーションを図るものである。
【００５１】
図７は、コメント情報の発信元である端末１００において、静止画像、動画像、音楽を含むマルチメディアコンテンツ（図７では、画像情報を例示）を入力する様子を例示したものである。例えば、図７に示すように、ユーザが、例えば、あるイベントをトリガに画像情報を入力する場合には、所定のボタンをタッチすることにより、例えば、既存の画像データが格納されたファイル群が表示され、その中から所望の画像情報を選択することにより、画像が所定のエリアに表示され、アップされる。
【００５２】
このとき、図８に示すように、プログラム内の太字部分に、アプリケーションＩＤ（ａｐｐＩＤ）、イベントＩＤ（ｅｖｅｎｔＩＤ）、画像情報が挿入される。そして、ボタンが押されると、画像情報が投稿される。
【００５３】
一方で、コメント情報の受信元である端末２００は、例えば、イベントをトリガに、画像情報の発信元である端末１００に対して、アプリケーションＩＤ（ａｐｐＩＤ）、イベントＩＤ（ｅｖｅｎｔＩＤ）、画像情報の送信を要求する。そして、図９に示すように、受信した情報に基づいて、プログラムを一部変更して、図１０に示すように、画像情報と投稿者情報とをアプリケーション画面上に表示する。
【００５４】
＜第３の実施例＞
図１１から図１４を用いて、本実施形態に係る第３の実施例について説明する。なお、本実施例は、関連情報としてコメント情報と静止画像、動画像、音楽を含むマルチメディアコンテンツとを発信しあって、ユーザ間でのコミュニケーションを図るものである。
【００５５】
図１１は、コメント情報の発信元である端末１００において、コメント情報と静止画像、動画像、音楽を含むマルチメディアコンテンツとを入力する様子を例示したものである。例えば、図１１に示すように、ユーザが、例えば、あるイベントをトリガにコメント情報と画像情報とを入力する場合には、所定のボタンをタッチすることにより、コメント情報については、例えば、コメント入力エリアと、図示しないテンキーがアプリケーション画面に重なるように表示される。ユーザは、テンキーを操作して、アプリケーションの感想等をコメントとして入力し、図示しない送信ボタンをタッチすることにより、コメント情報をアップする。一方、画像情報については、例えば、既存の画像データが格納されたファイル群が表示され、その中から所望の画像情報を選択することにより、画像が所定のエリアに表示され、アップされる。
【００５６】
このとき、図１２に示すように、プログラム内の太字部分に、アプリケーションＩＤ（ａｐｐＩＤ）、イベントＩＤ（ｅｖｅｎｔＩＤ）、コメント情報、画像情報が挿入される。そして、ボタンが押されると、コメント情報と画像情報とが投稿される。
【００５７】
一方で、コメント情報と画像情報との受信元である端末２００は、例えば、イベントをトリガに、コメント情報と画像情報との発信元である端末１００に対して、アプリケーションＩＤ（ａｐｐＩＤ）、イベントＩＤ（ｅｖｅｎｔＩＤ）、コメント情報、画像情報の送信を要求する。そして、図１３に示すように、受信した情報に基づいて、プログラムを一部変更して、図１４に示すように、コメント情報および画像情報と投稿者情報とをアプリケーション画面上に表示する。
【００５８】
＜アプリケーションのソーシャル化システムの処理＞
図１５を用いて、本実施形態に係るアプリケーションのソーシャル化システムの処理について説明する。なお、ここでは、説明の便宜上、端末１００を情報発信元とし、端末２００を情報受信元として説明する。
【００５９】
まず、端末１００は、特定のアプリケーションに対して、関連情報を入力し（ステップＳ１０１）、アプリケーションのアプリケーションＩＤとアプリケーションのプログラム中に任意に付与するイベントＩＤとを保持して（ステップＳ１０２）、アプリケーションのアプリケーションＩＤとアプリケーションのプログラム中に任意に付与するイベントＩＤと関連情報とを関連づけて管理する（ステップＳ１０３）。
【００６０】
次に、端末２００は、アプリケーションのプログラム中に任意に付与するイベントＩＤと関連情報との送信を端末１００に対して要求する（ステップＳ１０４）。端末１００は、端末２００の要求に応じて、アプリケーションのプログラム中に任意に付与するイベントＩＤと関連情報とを送信する（ステップＳ１０５）。
【００６１】
端末２００は、アプリケーションのプログラム中に任意に付与するイベントＩＤと関連情報とを受信し、アプリケーションのプログラム中にイベントＩＤと関連情報とを挿入し（ステップＳ１０６）、挿入された関連情報を表示する（ステップＳ１０７）。
【００６２】
以上、説明したように、本実施形態によれば、例えば、端末１００が関連情報を入力し、端末２００がイベントに応じて、関連情報を含む情報の送信を要求し、プログラムに挿入することにより、表示する。これによって、ユーザ同士が自由にコミュニケーションを図ることができるアプリケーションを構築することができる。
【００６３】
＜第２の実施形態＞
図１６から図１９を用いて、本発明の第２の実施形態について、説明する。
【００６４】
＜アプリケーションのソーシャル化システムの構成＞
本実施形態に係るアプリケーションのソーシャル化システムは、図１６に示すように、１のユーザが所有する端末１００と、他のユーザが所有する端末２００と、管理サーバ４００とから構成され、これらは、ネットワーク３００を介して、接続されている。
【００６５】
＜端末の構成＞
本実施形態に係る端末は、図１７に示すように、入力部１１０と、保持部１２０と、送信要求部１４０と、プログラム変更部１５０と、表示部１６０と、送受信部１７０とから構成されている。なお、端末１００と端末２００とは、同様の機能を有するため、ここでは、端末１００の構成のみについて説明する。なお、第１の実施形態と同一の符号を付す構成要素については、同様の機能を有することからその詳細な説明は省略する。
【００６６】
＜管理サーバの構成＞
本実施形態に係る管理サーバは、図１８に示すように、管理部４１０と、送信部４２０とから構成されている。
【００６７】
管理部４１０は、アプリケーションのアプリケーションＩＤとアプリケーションのプログラム中に任意に付与するイベントＩＤと関連情報とを関連づけて管理する。送信部４２０は、端末２００の要求に応じて、アプリケーションのプログラム中に任意に付与するイベントＩＤと関連情報とを送信する。
【００６８】
＜アプリケーションのソーシャル化システムの処理＞
図１９を用いて、本実施形態に係るアプリケーションのソーシャル化システムの処理について説明する。なお、ここでは、説明の便宜上、端末１００を情報発信元とし、端末２００を情報受信元として説明する。
【００６９】
まず、端末１００は、特定のアプリケーションに対して、関連情報を入力し（ステップＳ２０１）、アプリケーションのアプリケーションＩＤとアプリケーションのプログラム中に任意に付与するイベントＩＤとを保持し（ステップＳ２０２）、端末１００が、管理サーバ４００に、アプリケーションのアプリケーションＩＤとアプリケーションのプログラム中に任意に付与するイベントＩＤと関連情報とを送信する（ステップＳ２０３）。
【００７０】
管理サーバ４００は、アプリケーションのアプリケーションＩＤとアプリケーションのプログラム中に任意に付与するイベントＩＤと関連情報とを関連づけて管理する（ステップＳ２０４）。
【００７１】
次に、端末２００は、アプリケーションのプログラム中に任意に付与するイベントＩＤと関連情報との送信を端末１００に対して要求する（ステップＳ２０５）。管理サーバ４００は、端末２００の要求に応じて、アプリケーションのプログラム中に任意に付与するイベントＩＤと関連情報とを送信する（ステップＳ２０６）。
【００７２】
端末２００は、アプリケーションのプログラム中に任意に付与するイベントＩＤと関連情報とを受信し、アプリケーションのプログラム中にイベントＩＤと関連情報とを挿入し（ステップＳ２０７）、挿入された関連情報を表示する（ステップＳ２０８）。
【００７３】
なお、本実施形態においても、第１の実施形態と同様の実施例を実現することができる。
【００７４】
以上、説明したように、本実施形態によれば、例えば、端末１００が関連情報を入力し、関連情報を含む情報を管理サーバ４００が管理し、端末２００がイベントに応じて、関連情報を含む情報の送信を管理サーバ４００に要求し、プログラムに挿入することにより、表示する。これによって、ユーザ同士が自由にコミュニケーションを図ることができるアプリケーションを構築することができる。
【００７５】
なお、アプリケーションのソーシャル化システムの処理をコンピュータシステムが読み取り可能な記録媒体に記録し、この記録媒体に記録されたプログラムを端末１００、端末２００、管理サーバ４００に読み込ませ、実行することによって本発明のアプリケーションのソーシャル化システムを実現することができる。ここでいうコンピュータシステムとは、ＯＳや周辺装置等のハードウェアを含む。
【００７６】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００７７】
また、上記プログラムは、前述した機能の一部を実現するためのものであってもよい。さらに、前述した機能をコンピュータシステムにすでに記録されているプログラムとの組合せで実現できるもの、いわゆる差分ファイル（差分プログラム）であってもよい。
【００７８】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００７９】
１００；端末
１１０；入力部
１２０；保持部
１３０；管理部
１４０；送信要求部
１５０；プログラム変更部
１６０；表示部
１７０；送受信部
２００；端末
３００；ネットワーク
４００；管理サーバ
４１０；管理部
４２０；送信部
【図２】
2013222371.tif 000003
【図４】
2013222371.tif 000004
【図５】
2013222371.tif 000005
【図８】
2013222371.tif 000006
【図９】
2013222371.tif 000007
【図１２】
2013222371.tif 000008
【図１３】
2013222371.tif 000009
【図１５】
2013222371.tif 000010
【図１６】
2013222371.tif 000011
【図１７】
2013222371.tif 000012
【図１８】
2013222371.tif 000013
【図１９】
2013222371.tif 000014
【図１】
2013222371.tif 000015
【図３】
2013222371.tif 000016
【図６】
2013222371.tif 000017
【図７】
2013222371.tif 000018
【図１０】
2013222371.tif 000019
【図１１】
2013222371.tif 000020
【図１４】
2013222371.tif 000021